(57)【要約】【課題】  犬や猫に、ただ水をあたえるのではなく、害のない良質な水を与えることが出来る、優れた犬猫の水飲み容器を提供する。【解決手段】  本発明の犬猫の水飲み容器は、請求項１に於いて底全体に自然素材の水活性化材を入れて使用する。この時、自然素材の水活性化材が出ないように網状の蓋をはめ込み、水活性化材が出る心配がないようにする。また請求項２，３に於いては、底の中央部分に凹部を設けその中に自然素材の水活性化材を入れて使用する。入口部分に突起を出し、網状の蓋をはめ込む形状になっているため、出すことがない。請求項３に於いては、網状の蓋を差し込む形状に成っている。請求項４に関しては、水を流通する穴を設けたことで水と水活性化材が交わることが出来る形成になっている。いずれも自然素材の水活性化材が入っているので、水道水に含まれるカルキや水道管の錆等が活性化され、犬猫に害のない良質な水を与えることが出来る。【選択図】  図３
2005110522.tif 000002
【特許請求の範囲】
【請求項１】
水入れの底全体に自然素材の水活性化材をいれ、網状の蓋をはめ込んで用い、犬猫に良質な水を与えることを特徴とする犬猫の水飲み容器。
【請求項２】
水入れの底に凹部を設け、その中に自然素材の水活性化材を入れ網状の蓋をはめ込んで用い、犬猫に良質な水を与える事を特徴とする犬猫の水飲み容器。
【請求項３】
水入れの底に凹部を設け、その中に自然素材の水活性化材を入れ網状のキャップをはめて用い、犬猫に良質な水を与える事を特徴とする犬猫の水飲み容器。
【請求項４】
水飲み容器底中央部の凹部の外回りに設けた突起部に穴を開け、水を流通させ、水全体に水活性化材が交わる事ができることを特徴とする犬猫の水飲み容器
【請求項５】
上記水飲み容器本体内に内装及び形成され、水を浄化する水活性化材を用い、犬猫に害の無い良質な水を飲ませることを特徴とする犬猫の水飲み容器。
【請求項６】
上記水飲み容器に於いて、焼物,木製,樹脂等の素材で形成された犬猫の水飲み容器。
【発明の詳細な説明】
【技術分野】
【０００１】
本発明は、犬猫の水飲み容器の内部に、自然素材の水活性化材をいれて用いる犬猫の水飲み容器に関する。
【背景技術】
【０００２】
従来、犬猫の水飲み容器は、ただ、水道水を与えるだけのものであった。しかし、これでは長時間おくと水道水に含まれるカルキや水道管の錆など、有害物質により水が腐敗してしまい犬猫に良質な水を飲ませることが出来なかった。
【特許文献１】特開２００１−２７５５１０
【特許文献２】特開平１１−３４１９３１
【特許文献３】特開平９−１５４４２９
【特許文献４】特開平７−２８９１０７
【発明の開示】
【発明が解決しようとする課題】
【０００３】
そこで、本発明は、水を浄化できる自然素材の水活性化材である、トルマリン石や竹炭等を入れ犬猫にも良質な水を飲ませる事と水を腐敗しにくくする事を目的とする。
【課題を解決するための手段】
【０００４】
上記課題を解決するために、請求項１による犬猫の水飲み容器は、底に自然素材の水活性化材であるトルマリン石や竹炭等を入れた水を与えると良い。ここで、水が少なくなっても犬猫が水活性化材を取り出す事や、飲み込んでしまう心配がない様に、水活性化材の上に網状の蓋をはめ込む仕組みになっている。
【０００５】
請求項２による犬猫の水飲み容器は、底の中央部に凹部を設け、その中に水活性化材であるトルマリン石や竹炭等を入れた水を与えると良い。ここで、凹部の上部に突起をだし、水が少なくなっても犬猫が水活性化材を取り出す事や、飲み込んでしまう心配がない様に、網状の蓋をはめ込む仕組みになっている。
【０００６】
請求項３による犬猫の水飲み容器は、底中央部に凹部を設け、突起を出し、その中に自然素材の水活性化材を入れて用い、網状の蓋を差し込む仕組みになっている。この時の蓋は、突起を覆うように差し込む。又は、ネジの様に差し込む形でも良い。
【発明の効果】
【０００７】
以上説明したように、請求項１による、本発明の犬猫の水飲み容器によれば底全体に自然素材の水活性化材を入れるため、害のない良質な水を飲ませることが出来る。また、水が腐敗する事が少ない。また、網状の蓋をはめ込むことで、犬猫が水活性化材を飲み込むことや、遊び道具にする事は無い。
【０００８】
請求項２請求項３も同様、自然素材の水活性化材を用いるが、こちらでは、底中央部に凹部を設け突起を出し、その中に水活性化材を入れて使用する。網状の蓋は、はめ込むか又は差し込むかではあるが、どちらも自然素材の水活性化材を用いているので、害の無い良質な水を与えることが出来る。
【０００９】
請求項４に於ける水飲み容器は、底中央部に位置する凹部の入り口に設けた突起部に水飲み容器本体内の水と水活性化材が交わる穴をあけ、水が流通できる様にする。流通する穴を通り水活性化材に水が交わることができる仕組みに成っている。このため、水が浄化され、害の無い良質な水を与えることが出来る。
【００１０】
請求項５に於ける犬猫の水飲み容器は、請求項１〜請求項４全てのことを含み、また、水飲み容器本体内であれば、自然素材の水活性化材は何処でも内装および形成できる。
【発明を実施するための最良の形態】
【００１１】
以下、本発明の実施の形態を図面に基づいて具体的に説明する。図面において、図１は請求項１の実施の形態を上部から見た図である。図２に於いては図１に於ける実施例の断面図である。図３は請求項２に於ける実施の形態の上面図。図４は図３の実施例に於ける断面図である。図５は請求項３に於ける実施の形態の上面図。図６は図５に於ける実施例の断面図である。図７は請求項１の実施例の斜視図、図８は請求項２の実施例の斜視図、図９は請求項３の実施例の斜視図である。図１０は請求項４の上面図、図１１は図１０に於ける実施例の断面図である。
【００１２】
図１による犬猫の水飲み容器１は、実施例の上面から見た図である。底全体に自然素材の水活性化材２を入れ、底全体に網状の蓋３をはめ込みその中に水道水を入れて使用する。
【００１３】
図２は、図１の断面図である。底全体に水活性化材２を敷き詰め、水活性化材２が出ない様に上から網状の蓋をはめ込んで用いる仕組みに成っている
【００１４】
図３に於いては水飲み容器１の中央部に凹部４設けその中に水活性化材２を入れはめ込み式の網状の蓋５をはめて用いる。
【００１５】
図４に於いて、犬猫の水飲み容器１は、図で示すように中央部に凹部４を設けもう、その中に水活性化材２を挿入する様になる。また、中央部凹部４の縁には、突起６を設け、更に網状の蓋をはめ込む５事で、水活性化材が出ないような工夫がしてある。
【００１６】
図４で説明した様に、犬猫の水飲み容器１は、中央部に設けた凹部４に自然素材の水活性化材２を入れ、犬猫に水を与えた場合、水が少なくなっても突起部６が中央部に設けた凹部の回りを覆う様な形状を施してある事と、網状の蓋をはめ込む５ため、中央部凹部の自然素材の水活性化材２が出る心配はない。また、犬猫が誤って飲み込んでしまう危険性もなく、また遊び道具にしてしまうこともない。
【００１７】
図５に於いては、底中央部に凹部４を設け突起６を出し、その中に自然素材の水活性化材２入れて用いるが、網状の蓋は差し込み式７に成っている。
【００１８】
図６に於いては図５の実施例の断面図である。犬猫の水飲み容器１の底中央部に凹部４を設けその周りに突起６を出し、その中に自然素材の水活性化材２を入れて用いる。この場合網状の蓋は、突起６も全て覆うように差し込み式の蓋７を用いる。
【００１９】
図７〜図９に於いては、図１〜図６に於いての実施例の斜視図である。
【００２０】
図１０に於いては、請求項４の上面図である。
【００２１】
図１１について説明すると、水飲み容器本体１中央部凹部４入り口に突起部６を設け、水飲み容器の底面に平行して流通する穴９を設ける。凹部４内には自然素材の水活性化材２を入れ、はめ込み式の網状の蓋５を装着してある。この時連通する穴９を水８が流通出来るようになる。その為、本体内の水８が水活性化材２に交わり、水が腐敗しにくく、害の無い良質な水を与えることが出来る。
【００２２】
図１１に於いて、水飲み容器本体内１の底面に平行して開ける、水が流通する穴９の数は適宜で良い。
【００２３】
図１から図１１による、犬猫の水飲み容器１の中に自然素材の水活性化材２を入れて水を与えると、水が腐敗する事が少なく、良質な水を与えることが出来る。      
【００２４】
図４で説明したように突起部６が凹部４を覆うような形状になっている為、突起部６が中の自然素材の水活性化材２を覆い込む形状に成っている。また、網状の蓋をはめ込む５ため、安全性に優れている。
【００２５】
図６でも同様に、突起部６が凹部４を覆うような形状になっているが、網状の蓋が突起部まで全てを覆い、差し込み式の蓋７に成っている。こちらも安全性に優れ犬猫が取り出す事や、飲み込んでしまう心配が少ない。
【００２６】
図１から図１１に於いて使用する自然素材の水活性化材２は、トルマリン石や竹炭等を使用する。
【００２７】
図１から図１１に於いての網状の蓋は、取り外しが出来る仕組みである。
【００２８】
請求項６に於いて、犬猫水のみ容器の素材は木製、焼物、樹脂など利用できる。
【図面の簡単な説明】
【００２９】
【図１】請求項１に於ける実施例を示す上面図
【図２】請求項１に於ける実施例を示す断面図
【図３】請求項２に於ける実施例を示す上面図
【図４】請求項２に於ける実施例を示す断面図
【図５】請求項３に於ける実施例を示す上面図
【図６】請求項３に於ける実施例を示す断面図
【図７】請求項１に於ける斜視図
【図８】請求項２に於ける斜視図
【図９】請求項３に於ける斜視図
【図１０】請求項４に於ける実施例を示す上面図
【図１１】請求項４に於ける実施例を示す断面図
【符号の説明】
【００３０】
１犬猫の水飲み容器
２自然素材の水活性化材
３底全体にはめ込む網状の蓋中央部凹部
４中央部凹部
５中央部凹部にはめ込む網状の蓋
６凹部入り口回りの突起部
７中央部凹部に差し込む網状の蓋
８水
９水が流通する穴
【図１】
2005110522.tif 000003
【図２】
2005110522.tif 000004
【図３】
2005110522.tif 000005
【図４】
2005110522.tif 000006
【図５】
2005110522.tif 000007
【図６】
2005110522.tif 000008
【図７】
2005110522.tif 000009
【図８】
2005110522.tif 000010
【図９】
2005110522.tif 000011
【図１０】
2005110522.tif 000012
【図１１】
2005110522.tif 000013